(57)【要約】【課題】飲み口部材と栓部と口当て用蓋部との３パーツに分解でき、洗浄して衛生さを保つことが容易な飲料用容器の栓体並びにこの飲料用容器の栓体を備えた飲料用容器を提供すること。【解決手段】容器本体１の上部開口部２に取付けられる液通路４を備えた飲み口部材３と、飲み口部材３に取付けられて前記液通路４を密閉する蓋部材５とから成り、前記蓋部材５に蓋分解手段12を備えて、この蓋分解手段12を介して蓋部材５の中心部に設けられる前記栓部９からリング状の前記口当て用蓋部11が分解可能に構成されている飲料用容器の栓体。【選択図】図４
2019156480.tif 000002
【特許請求の範囲】
【請求項１】
容器本体の上部開口部に取り付けられる液通路を備えた飲み口部材と、この飲み口部材に取り付けられて前記液通路を密閉する蓋部材とから成り、前記飲み口部材は、前記容器本体の上部開口部内に挿入される本体部と、この本体部の上部に設けられる筒状の口当て部と、この本体部と口当て部とを上下方向に貫通するようにして設けられる前記液通路と、この液通路の内周面に設けられる飲み口側雌螺子と、この本体部の外周面に設けられ前記上部開口部の内周面に設けられている容器側雌螺子に着脱自在に螺着する飲み口側雄螺子とを備え、前記蓋部材は、前記飲み口部材の液通路に挿入されてこの液通路を密閉する栓部と、この栓部の外周面に設けられ前記飲み口側雌螺子に着脱自在に螺着する蓋側雄螺子と、この栓部の上部外周に周設され前記口当て部の全周を覆う口当て用蓋部とを備え、前記飲み口側雌螺子に前記蓋側雄螺子を螺着することで、前記飲み口部材に前記蓋部材が取り付けられて前記液通路が前記栓部で密閉されると共に、前記口当て部の全周が上方から前記口当て用蓋部で覆われるように構成されており、前記蓋部材に蓋分解手段を備えて、この蓋分解手段を介して蓋部材の中心部に設けられる前記栓部からリング状の前記口当て用蓋部が分解可能に構成されていることを特徴とする飲料用容器の栓体。
【請求項２】
前記蓋分解手段は、前記栓部に対し前記口当て用蓋部を下動させることによって栓部から口当て用蓋部を分解可能に構成されており、前記蓋部材が前記飲み口部材に取り付けられた際に、前記口当て用蓋部の下端を支持可能な支持部が前記容器本体に設けられていて、この支持部に口当て用蓋部の下端が支持されることにより、口当て用蓋部の栓部に対する下動が阻止されて栓部と口当て用蓋部とが分解不能となるように構成されていることを特徴とする請求項１記載の飲料用容器の栓体。
【請求項３】
前記蓋分解手段は、前記栓部の上部外周縁に係合部が設けられ、この係合部に下方から係脱自在に係止する係止部が前記口当て用蓋部の上部に設けられていて、前記栓部に対し前記口当て用蓋部を下動させると、前記係合部から前記係止部が係脱して栓部と口当て用蓋部とを分解可能に構成されていることを特徴とする請求項１，２のいずれか１項に記載の飲料用容器の栓体。
【請求項４】
容器本体の上部開口部に、前記請求項１〜３のいずれか１項に記載の飲料用容器の栓体を着脱自在に取り付けて成ることを特徴とする飲料用容器。
【発明の詳細な説明】
【技術分野】
【０００１】
本発明は、水筒などの飲料用容器の栓体並びに水筒などの飲料用容器に関するものである。
【背景技術】
【０００２】
従来の飲料用容器の栓体としては、容器本体の上部開口部に取り付けられる液通路を備えた飲み口部材と、この飲み口部材に取り付けられて前記液通路を密閉する蓋部材とから成り、前記飲み口部材は、前記容器本体の上部開口部に着脱自在に取り付けられる本体部の上部に、筒状の口当て部が立設状態に設けられ、この本体部と口当て部とを上下方向に貫通するようにして前記液通路が設けられ、この液通路の内周面に飲み口側雌螺子が設けられており、前記蓋部材は、前記飲み口部材の液通路に挿入されてこの液通路を密閉する栓部の外周面に、前記飲み口側雌螺子に着脱自在に螺着する蓋側雄螺子が設けられ、この栓部の上部外周に、前記口当て部を覆う口当て用蓋部が設けられており、前記飲み口側雌螺子と前記蓋側雄螺子とを螺合することで、前記飲み口部材に前記蓋部材が取り付けられて前記液通路が前記栓部で密閉されると共に、前記口当て部が前記口当て用蓋部で覆われるように構成されているものがある（例えば、特許文献１参照）。
【先行技術文献】
【特許文献】
【０００３】
【特許文献１】特許第５５０３０３９号公報
【発明の概要】
【発明が解決しようとする課題】
【０００４】
本発明は、上記従来の飲料用容器の栓体の改良に係るもので、飲み口部材も蓋部材も容器本体から取り外して洗浄でき、しかも蓋部材を栓部と口当て用蓋部とに分解できて、口当て用蓋部に覆われる栓部の上部も口当て用蓋部の内部もきれいに洗浄でき衛生さを保つことが容易に可能となる実用性に優れた飲料用容器の栓体並びにこの飲料用容器の栓体を備えた飲料用容器を提供するものである。
【課題を解決するための手段】
【０００５】
添付図面を参照して本発明の要旨を説明する。
【０００６】
容器本体１の上部開口部２に取り付けられる液通路４を備えた飲み口部材３と、この飲み口部材３に取り付けられて前記液通路４を密閉する蓋部材５とから成り、前記飲み口部材３は、前記容器本体１の上部開口部２内に挿入される本体部６と、この本体部６の上部に設けられる筒状の口当て部７と、この本体部６と口当て部７とを上下方向に貫通するようにして設けられる前記液通路４と、この液通路４の内周面に設けられる飲み口側雌螺子８と、この本体部６の外周面に設けられ前記上部開口部２の内周面に設けられている容器側雌螺子17に着脱自在に螺着する飲み口側雄螺子16とを備え、前記蓋部材５は、前記飲み口部材３の液通路４に挿入されてこの液通路４を密閉する栓部９と、この栓部９の外周面に設けられ前記飲み口側雌螺子８に着脱自在に螺着する蓋側雄螺子10と、この栓部９の上部外周に周設され前記口当て部７の全周を覆う口当て用蓋部11とを備え、前記飲み口側雌螺子８に前記蓋側雄螺子10を螺着することで、前記飲み口部材３に前記蓋部材５が取り付けられて前記液通路４が前記栓部９で密閉されると共に、前記口当て部７の全周が上方から前記口当て用蓋部11で覆われるように構成されており、前記蓋部材５に蓋分解手段12を備えて、この蓋分解手段12を介して蓋部材５の中心部に設けられる前記栓部９からリング状の前記口当て用蓋部11が分解可能に構成されていることを特徴とする飲料用容器の栓体に係るものである。
【０００７】
また、前記蓋分解手段12は、前記栓部９に対し前記口当て用蓋部11を下動させることによって栓部９から口当て用蓋部11を分解可能に構成されており、前記蓋部材５が前記飲み口部材３に取り付けられた際に、前記口当て用蓋部11の下端を支持可能な支持部13が前記容器本体１に設けられていて、この支持部13に口当て用蓋部11の下端が支持されることにより、口当て用蓋部11の栓部９に対する下動が阻止されて栓部９と口当て用蓋部11とが分解不能となるように構成されていることを特徴とする請求項１記載の飲料用容器の栓体に係るものである。
【０００８】
また、前記蓋分解手段12は、前記栓部９の上部外周縁に係合部14が設けられ、この係合部14に下方から係脱自在に係止する係止部15が前記口当て用蓋部11の上部に設けられていて、前記栓部９に対し前記口当て用蓋部11を下動させると、前記係合部14から前記係止部15が係脱して栓部９と口当て用蓋部11とを分解可能に構成されていることを特徴とする請求項１，２のいずれか１項に記載の飲料用容器の栓体に係るものである。
【０００９】
また、容器本体１の上部開口部２に、前記請求項１〜３のいずれか１項に記載の飲料用容器の栓体Ｓを着脱自在に取り付けて成ることを特徴とする飲料用容器に係るものである。
【発明の効果】
【００１０】
本発明は上述のように構成したから、飲み口部材も蓋部材も容器本体から簡単に取り外して洗浄でき、しかも蓋部材は、蓋分解手段を介して栓部とリング状の口当て用蓋部とに分解でき、これにより口当て用蓋部に覆われる栓部の上部外周も、口当て用蓋部の内部もきれいに洗浄できて衛生さを保つことが容易に可能となる極めて実用性に優れた飲料用容器の栓体並びに飲料用容器となる。
【００１１】
また、請求項２記載の発明においては、栓部に対し口当て用蓋部を容易に分解及び組み付け可能となり、しかも、蓋部材を飲み口部材（が取り付けられている容器本体）に取り付けた状態では栓部と口当て用蓋部とが勝手に分解されてしまう不都合がないなど、一層実用性に優れた構成の飲料用容器の栓体となる。
【００１２】
また、請求項３記載の発明においては、栓部に対し口当て用蓋部を下動させるだけの簡易操作で栓部から口当て用蓋部を分解可能となると共に、栓部と口当て用蓋部の組み付けも容易に行われる蓋分解手段を簡易構成にして容易に設計実現可能となる一層実用性に優れた構成の飲料用容器の栓体となる。
【図面の簡単な説明】
【００１３】
【図１】本実施例を示す、容器本体を一部省略した斜視図である。
【図２】本実施例を示す、蓋部材を取り外した状態（開栓状態）の斜視図である。
【図３】本実施例を示す、飲み口部材を容器本体の上部開口部から取り外した状態の斜視図である。
【図４】本実施例の蓋部材を示す、栓部と口当て用蓋部とに分解した状態の斜視図である。
【図５】本実施例の要部拡大側断面図である。
【図６】本実施例を示す、蓋部材を取り外した状態の平面図である。
【発明を実施するための形態】
【００１４】
好適と考える本発明の実施形態を、図面に基づいて本発明の作用を示して簡単に説明する。
【００１５】
容器本体１の上部開口部２に飲み口部材３の本体部６を挿入し、上部開口部２に対し飲み口部材３を回転させて上部開口部２の内周面に設けられている容器側雌螺子17に本体部６の外周面に設けられている飲み口側雄螺子16を着脱自在に螺着すると、容器本体１の上部開口部２に飲み口部材３が取り付けられる。
【００１６】
この飲み口部材３の液通路４に蓋部材５の栓部９を挿入し、飲み口部材３に対し蓋部材５を回転させて液通路４の内周面に設けられている飲み口側雌螺子８に栓部９の外周面に設けられている蓋側雄螺子10を螺着すると、飲み口部材３に蓋部材５が取り付けられて前記液通路４が前記栓部９で密閉される（容器本体１の上部開口部２が閉栓状態となる）と共に、飲み口部材３の本体部６の上部に設けられている筒状の口当て部７の全周が、蓋部材５の栓部９の上部外周に周設されている口当て用蓋部11で覆われて衛生さが保たれる。
【００１７】
容器本体１内の飲料を飲みたい時は、飲み口部材３に対し蓋部材５を上記閉栓時とは逆方向に回転させて飲み口側雌螺子８から蓋側雄螺子10を螺脱すると、飲み口部材３から蓋部材５を取り外して上部開口部２を開栓状態にでき、これによって露出する飲み口部材３の前記口当て部７に口を当てて容器本体１を傾けることにより、飲み口部材３の本体部６と口当て部７とを上下方向に貫通するようにして設けられている液通路４を介して注出される飲料を飲むことができる。
【００１８】
また、不使用時には、蓋部材５を開栓時と同様にして飲み口部材３から容易に取外しでき、飲み口部材３も、容器本体１の上部開口部２に対し上記取り付け時とは逆方向に回転させて容器側雌螺子17から飲み口側雄螺子16を螺脱することで容器本体１（の上部開口部２）から容易に取り外しできるので、双方を洗浄して衛生さを保つことができる。
【００１９】
しかも蓋部材５は、蓋分解手段12を介して蓋部材５の中心部に設けられる前記栓部９から、この栓部９に周設されるリング状の前記口当て用蓋部11を分解可能であるため、分解により口当て用蓋部11に覆われる栓部９の上部外周も、口当て用蓋部11の内部も露出させることができ、これらの部位をきれいに洗浄して衛生さを保つことが容易に可能となる。
【実施例】
【００２０】
本発明の具体的な実施例について図面に基づいて説明する。
【００２１】
本実施例は、図１に示すような携帯型の水筒に適用したもので、容器本体１の上部開口部２に栓体Ｓが着脱自在に設けられている。
【００２２】
本実施例の栓体Ｓは、図２に示すように、容器本体１の上部開口部２に取り付けられる液通路４を備えた飲み口部材３と、この飲み口部材３に取り付けられて前記液通路４を密閉する蓋部材５とから構成されている。
【００２３】
本実施例の飲み口部材３について説明すると、前記容器本体１の上部開口部２に着脱自在に取り付けられる筒状の本体部６の上部に、筒状の口当て部７が立設状態に設けられている。
【００２４】
具体的には、飲み口部材３は合成樹脂製であって、図２，図３に示すように、容器本体１の上部開口部２の開口径よりやや小径で上部開口部２内に挿入可能な円筒状の前記本体部６の上部に、前記上部開口部２の開口径よりやや大径な上側大径円筒部が設けられ（一体成形され）ていて、この上側大径円筒部が上部開口部２の上方へ露出するように取り付けられる前記口当て部７として構成され、この本体部６，口当て部７を上下方向に貫通する中心貫通孔部が前記液通路４として構成されていると共に、この液通路４の内周面に飲み口側雌螺子８が設けられ（一体成形され）ている。
【００２５】
また、この本体部６の下端の外周面には、前記容器本体１の上部開口部２付近の内周面に密着する例えばシリコンゴム製の漏止パッキン20が周設状態に付設され、この漏止パッキン20より上方側の本体部６の外周面には、前記上部開口部２の内周面に設けられる容器側雌螺子17に着脱自在に螺着する飲み口側雄螺子16が設けられ（一体成形され）、容器側雌螺子17にこの飲み口側雄螺子16を着脱自在に螺着することで、容器本体１の上部開口部２に前記飲み口部材３が取り付けられるように構成されている（図３，図５参照）。
【００２６】
また、この種の飲料用容器（水筒）の飲み口（液通部）の口径は、３５〜５０ｍｍ程度に設定されているものが一般的であるが、本実施例では、前記飲み口部材３の液通部４の口径寸法が、一般的なものより小径となる３０ｍｍ程度に設定されている（図６参照）。即ち、このように液通部４の口径を小さくしたことにより、容器本体１内に収容された飲料の温度が変化しにくくなる（冷たい飲料はぬるくなりにくく、温かい飲料は冷めにくくなる）ように構成されている。
【００２７】
また、この液通部４の下部には、容器本体１内に飲料とともに氷が収容された際に、氷の注出を阻止する阻止板部18が設けられ（一体成形され）ていると共に、この阻止板部18に氷を通さずに飲料だけを注出可能となる液通小孔19が複数貫通形成されていて、この液通小孔19が液通部４の一部として機能するように構成されている。
【００２８】
本実施例の蓋部材５について説明すると、前記飲み口部材３の液通路４に前記口当て部７側（上方側）から挿入されてこの液通路４を密閉する栓部９の上部外周に、前記口当て部７の全周を覆う口当て用蓋部11が周設されている。
【００２９】
具体的には、栓部９は、合成樹脂製であって図２，図４，図５に示すような略円柱形に一体成形されており、前記口当て用蓋部11は、合成樹脂製であって図４，図５に示すような前記口当て部７の上縁部全周を上方から覆う平面視リング状の天覆部分21と、この天覆部分21の外端部全周から連設状態に垂設されて前記口当て部７の外周面を外方から覆う側覆部分22とから成る略リング形状体に一体成形されている。
【００３０】
また、この栓部９の中ほどの外周面に、前記液通路４の中ほどの内周面に密着する止水パッキン23が周設状態に付設され、この止水パッキン23より下方の栓部９外周面には、前記飲み口側雌螺子８に着脱自在に螺着する蓋側雄螺子10が設けられ（一体成形され）ており、飲み口側雌螺子８にこの蓋側雄螺子10を螺着することで、前記飲み口部材３に前記蓋部材５が取り付けられて前記液通路４が前記栓部９で密閉されると共に、前記口当て部７の全周が上方から前記口当て用蓋部11で覆われて衛生さが保たれるように構成されている（図１，図５参照）。
【００３１】
本実施例は、前記蓋部材５に蓋分解手段12を備えて、この蓋分解手段12を介して蓋部材５の中心部に設けられる前記栓部９から、この栓部９に周設されるリング状の前記口当て用蓋部11が分解可能に構成されている。
【００３２】
具体的には、蓋部材５は、円柱状栓部９に別部材のリング状口当て用蓋部11が取り付けられて成り、前記蓋分解手段12は、栓部９に対し口当て用蓋部11を下動させることによって栓部９から口当て用蓋部11を分解可能に構成されている。
【００３３】
更に詳しくは、前記栓部９の上部外周縁の全周に鍔部が水平外方へ突出状態に設けられ（一体成形され）て、この鍔部の下面が係合部14として構成され、この係合部14に下方から係脱自在に係止する係止部15としての係止平坦面15が前記口当て用蓋部11の上部（前記天覆部分21）全周に設けられ（一体成形され）ていて、係止部15を係合部14に係止すると、栓部９に口当て用蓋部11が取り付けられると共に、栓部９に対して口当て用蓋部11が上動不能となり、この取付状態から栓部９に対し口当て用蓋部11を下動させると、前記係合部14から前記係止部15が係脱して栓部９から口当て用蓋部11を分解可能となるように前記蓋分解手段12が構成されている（図４参照）。
【００３４】
また、係合部14は、その内側部分が外側部分より下方へ突出する段差面14に形成（一体成形）され、これに対応させて前記係止部15は、その内側部分が外側部分より下方へ窪む段差面15に形成（一体成形）されていて、この段差面14・15同士の係合係止により、栓部９に対し口当て用蓋部11が横ズレしない位置決め状態で取り付けられるように構成されている。
【００３５】
従って、蓋分解手段12を介して蓋部材５を円柱状栓部９とリング状口当て用蓋部11とに分解すると、栓部９に口当て用蓋部11が取り付けられた状態では口当て用蓋部11に覆われてしまう栓部９の上部外周も、口当て用蓋部11の内部も露出させることができ、これらの部位をきれいに洗浄して蓋部材５の衛生さを保つことが容易に可能となるように構成されている。
【００３６】
また、前記係合部14の下方へ突出する内側下段面部分の対向位置に、外側上段面部分と面一状態となる係合凹部24が設けられ（一体成形され）、この係合凹部24に凹凸係合する係止凸部25が、前記係止部15の内側下段面部分の対向位置に、外側上段面部分と面一状態となるようにして設けられ（一体成形され）ていて、この係合凹部24と係止凸部25の凹凸係合により、栓部９に対し口当て用蓋部11が回り止め状態で取り付けられるように構成されている（図５参照）。即ち、これにより口当て用蓋部11を掴んで蓋部材５を飲み口部材３に対し回動着脱操作可能となるように構成されている。
【００３７】
尚、図示していないが、口当て用蓋部11が栓部９に圧入（圧接）状態に取り付けられて、分解可能ではあるが簡単には分解されない構成の蓋分解手段12を採用しても良い。
【００３８】
また、本実施例では、前記蓋部材５が前記飲み口部材３に取り付けられた際に、前記口当て用蓋部11の下端を支持可能な支持部13が前記容器本体１に設けられていて、この支持部13に口当て用蓋部11の下端が支持されることにより、口当て用蓋部11の栓部９に対する下動が阻止されて栓部９と口当て用蓋部11とが分解不能となるように構成されている。
【００３９】
具体的には、前記容器本体１の上部の外周部全周が、前記側覆部分22の外径よりも一回り小径となる段差形状に形成（一体成形）されて、この段差部13が前記支持部13として構成されている。
【００４０】
従って、蓋部材５を飲み口部材３に取り付けた状態では、栓部９と口当て用蓋部11とが勝手に分解されてしまう不都合を生じることがないように構成されている。
【００４１】
尚、本発明は、本実施例に限られるものではなく、各構成要件の具体的構成は適宜設計し得るものである。
【符号の説明】
【００４２】
１  容器本体
２  上部開口部
３  飲み口部材
４  液通路
５  蓋部材
６  本体部
７  口当て部
８  飲み口側雌螺子
９  栓部
10  蓋側雄螺子
11  口当て用蓋部
12  蓋分解手段
13  支持部
14  係合部
15  係止部
16  飲み口側雄螺子
17  容器側雌螺子
Ｓ  栓体
【図１】
2019156480.tif 000003
【図２】
2019156480.tif 000004
【図３】
2019156480.tif 000005
【図４】
2019156480.tif 000006
【図５】
2019156480.tif 000007
【図６】
2019156480.tif 000008